(57)【要約】【課題】自動車の車内や室内等に、取付容易にして、且つ簡単にゴミ袋が取出しが可能なゴミ袋の収納具により、ゴミの散乱を防止し、町の美観作りに役立てようとするものである。【解決手段】ゴミ袋を収納した箱体および該箱体を支持する固着具であって、該固着具は、箱体の支持部、該箱体を懸架するための挿入部を設け、車内等に取り付け使用する箱状体収納具に関し、前記箱体を支持する固着具は断面U字状からなり、箱体の裏側部には、挿入部を形成する固定片を設け、又は固着具は断面逆山字状からなり、箱体の表側部には、箱体を支持する狭細部が形成されているもの。【選択図】  図４
2009045962.tif 000002
【特許請求の範囲】
【請求項１】
ゴミ袋を収納した箱体および該箱体を支持する固着具であって、該固着具は、箱体の支持部、該箱体を懸架するための挿入部からなることを特徴とする車内等に使用する箱状体収納具
【請求項２】
前記箱体を支持する固着具は断面U字状からなり、箱体の裏側部には、挿入部を形成する固定片を設けたことを特徴とする請求項1記載の車内等に使用する箱状体収納具
【請求項３】
前記箱体を支持する固着具は断面逆山字状からなり、箱体の表側部には、箱体を支持する狭細部が形成されている事を設けたことを特徴とする請求項1記載の車内等に使用する箱状体収納具
【請求項４】
前記箱体を支持する固着具は断面上部は両端が逆山字状からなり、中央の延出部が下方に伸びており、且つ下端で箱体下部を支持する支持部を備えてなることを特徴とする請求項1記載の車内等に使用する箱状体収納具
【請求項５】
前記固着具には、ゴミ袋の紐がかかる係止部を設けてなることを特徴とする請求項１，２、３又は４記載の車内等に使用する箱体状収納具
【発明の詳細な説明】
【技術分野】
【０００１】
本発明は、簡単に取り付けられるゴミ袋、ティッシュ等の箱体状の収納具に関し、特に、自動車の椅子の背もたれに簡単に取り付けられるものに関する。
【背景技術】
【０００２】
現在、ごみ袋やティシュを必要とするケースは至るところで増えており、その為に、必要に応じ簡易に取り出せるものが望まれている。しかしながらごみ袋を予め収納しておく思想は今まで無く、適宜積んでおいて取り出すケースが殆どである。又ティシュも箱から取り出すものが多いが、例えば自動車の車内では、簡単に取り出すスペースがない。だが現代は、ゴミ袋、ティシュ箱は自動車内では必需品である。
【０００３】
特に、自動車の車内では、食事や鼻紙等を使用することが少なくなく、又ティッシュは殆ど常備されているものの、その場合その処理には、矢張りゴミ袋の常備が望まれている状況である。
【０００４】
従来確かにゴミ袋を収納する箱は存在するが、ゴミ袋そのものを複数収納したものを、簡易に車内等に取り付けられるものは未だ存在していない。また、ティシュ箱を自動車に入れておく人は多いが、その置き場所が席のしたとかで、利用には不便この上もない。
【０００５】
【特許文献１】特公開２００６−５６５９１号公報
【特許文献２】特公開２００１−８０７０１号公報
【特許文献３】登録実用新案第３１２１１２５６号
【特許文献４】実用新案公開平６−４５９０１号
【特許文献５】実用新案公開平５−６５８８２号
【発明の開示】
【発明が解決しようとする課題】
【０００６】
上記の場合、例えば、社会的には、マナーとして車外へ放棄するなどの点が指摘されており、特に車での長時間の運転時には、ゴミの発生が多く、早急にその対策が望まれていた。その為には、手軽に又は簡易にゴミ袋を取り出せるものが期待される。
【０００７】
又、それは簡易に持ち運び易いものであることが望ましく、且つ取り付けも簡単であることが好ましい。ティシュも又取り出し易い場所へ取り付かれることが望ましい。
【０００８】
本発明は、上記の問題点を改善して、老人や子供などでも容易に取り付けでき、簡単に運搬ができ、又容易に取り出すことができるものを得ることを目的とする。
【課題を解決するための手段】
【０００９】
上記の課題を解決するために本発明では、ゴミ袋やティッシュを収納した箱体および該箱体を支持する固着具であって、該固着具は、箱体の支持部、該箱体を懸架するための挿入部から構成により、車内等に迅速に取り付け使用するごとができる箱状体収納具を提供する。
【００１０】
箱体を支持する固着具は断面U字状からなり、箱体の裏側部には、挿入部を形成する固定片を設け、車内の物入れに簡単に取り付けられる箱状体収納具を提供する。
【００１１】
前記箱体を支持する固着具は断面逆山字状からなり、箱体の表側部には、箱体を支持する狭細部が形成されているもので、取り付けを容易とするものである。
【００１２】
前記箱体を支持する固着具は断面上部は両端が逆山字状からなり、中央の延出部が下方に伸びており、且つ下端で箱体下部を支持する支持部を備えてなるもので、ゴミ袋収納箱の取付が一層確実とすることことができる。
【発明の効果】
【００１３】
本発明は、上記のように、老人や子供などでも、容易に取り付けでき、特に自動車の椅子の背後の物入れに取り付けられ、しかも簡単に運搬ができ、又容器などからも容易に、片手でも取り出すことができる。
【００１４】
また、使用し終わった後は、把手は、容易に取り外すことができるのである。従って、車内からのゴミの投げ捨てを防止し、町の美観を損なわないようにするものである。
【発明を実施するための最良の形態】
【００１５】
本発明の実施の形態を実施例に基づき、図面を参照して説明する。図１は本発明の実施例の一つである。
【００１６】
図１で示されるように、箱状体収納具（１）が示されており、自動車の椅子の背もたれ等に取り付けられる前の状態を示している。取り付け状況は、図５に示す。
ゴミ袋（８）は、ゴミ袋収納箱（１０）の中に複数折畳んで収納されており（図では既に取り出されているが）、好ましくはテイッシュのように収納されているのが好ましいが、その表側である取り出し口（１０１）を手前に開くことで、取り出せるようになっている。
なお、箱状体収納具（１）内には、ゴミ袋（８）の外、テュッシュを収納するものであってもよく、又濡れティッシュも可であるのは当然である。
【００１７】
ゴミ収納具（１）は、その上部に固着具（３）が設けられている。該固着具（３）は、図１の（１）及び（２）に示すように、主に（３）つの部分からなり、一は、図５の（１）に示すように椅子（９）の背もたれ背後に設けられている網状の物入れ（９０）に装着される、ゴミ袋収納箱（１０）裏側となる挿入部（３２）、箱体支持部（３１）、両者を繋ぐ天板の連結部（３０）からなっている。
【００１８】
更に詳細には、図１の（１）及び（２）に示すように、上記挿入部（３２）、箱体支持部（３１）、両者を繋ぐ天板の連結部（３０）は、その断面がほぼU字状となっているのがわかるであろう。差し込まれる状況は、固定片（３２１）と箱体支持部（３１）の延出部（３２０）、そして箱体支持部（３１）の延出部（３１０）とで挟み込むものとなっている。又固定片（３２１）は、挿入部（３２）の内側に、適宜の間隔をもって配置されればよいであろう。
【００１９】
更に詳細には、固着具（３）は、箱体支持部（３１）において、ゴミ袋収納箱（１０）を支持するのであるが、その支持法は、箱体支持部（３１）が、ゴミ袋収納箱（１０）に向かって、図１の（２）に示すように挟み込むように傾斜しており、それで差込み装着するのである。即ち、一方のゴミ袋収納箱（１０）を支持する箱体支持部（３１）は、該箱に向かって狭くなるように傾斜しているのが分かる。
【００２０】
他方の挿入部（３２）側も必ずしも傾斜してなくてもよいが、更に固定を確実にするために、固定片（３２１）の箱側に対して、矢張り箱に向かって狭くなるように、図１の（２）に示すように、傾斜させることもできる。
【００２１】
更に、図１の（２）に示すように、前方の箱体支持部（３１）の先端は、固着をより一層確実にする為に、ゴミ袋収納箱（１０）の挿入部（１０２）に差し込まれるようになっていることも可能である。即ち、箱体支持部（３１）の延出部（３１０）から、更に延びる係止体（４）は断面U字状になって、弾性を有して、しかも内側に向かって傾斜しているので、ゴミ袋収納箱（１０）へU字状の嵌入部（１０２）を対応して設けておけば、嵌合して固定されるからである。
【００２２】
従って、係止体（４）は、係止部ともなって、ゴミ袋収納箱（１０）を更にしっかり固定すると共に、該断面U字状の係止体（４）は、図１の（１）に示すように、ゴミ袋（８）に紐（８０１）を、両端へ又はその開口部周囲に設けておけば、図示のように引っ掛けれることができることも可能であり、ゴミ袋をいちいち探したり、床に置いておくことはなく、その所在も明確になり、ゴミの収集をし易くするのである。特に、紐（８０１）をゴミ袋（８）の開口部に設けておき、紐を縛ることで開口部を閉じる周知の構造としておけば、ゴミ袋（８）が満杯後に閉じてその散乱を防止できる。
勿論この同様の構成を反対側の挿入部（３２）の固定片（３２１）へも又はその一方に設けることも可能である。
【００２３】
又、一方の挿入部（３２）の構造は、天板から下方に伸びる延出部（３２０）が、前記したように、椅子背後の網部へ引っ掛けるものであるが、その上部および側壁部には、幾つかの固定片（３２１）が、長手方向に設けられており、それによってゴミ袋収納箱（１０）を挟み込むのである。又、延出部（３２０）の形状は、様々なものが考えられるが、一般的には、長手方向に伸びた壁状でもよいし、又該中央部が表側の通り、欠けた、例えば曲線状や円弧状のものであってもよい。
【００２４】
又、前記固定片（３２１）の代わりに、図１の（３）に示すように、単にゴミ袋収納箱（１０）に向かって支持するような壁状の延出部（３３）を設けて、ゴミ袋収納箱（１０）を固定してもよい。
【００２５】
このようにして、構成された箱状体収納具（１）の使用法は、図１に示すように、ゴミ袋収納箱（１０）の取り出し口（１０１）から、ゴミ袋（８）を取り出す。その袋（８）には、上部に紐（８０１）が設けられており、その紐（８０１）を固着具（３）に掛けることが考えられる。
この例では、箱体支持部（３１）の延出部が、U字状となっているので、そこへ紐の両端を掛けることができる。
【００２６】
図２に示すものは、他の実施例であって、ゴミ袋収納箱（１０）を挟み込みで支持するのではなく、両側の支持部によって固定を図るものである。
即ち、該上部の固着具（３）は、中央に比較的短い支持部ともなる延出部（３４）が設けられており、該延出部（３４）の両側には、ゴミ袋収納箱（１０）の上端を延出部（３４）と共に挟む延出部（３１０）が弾性を有して設けられている。従って内方へ傾斜している。両者は、共にか又は一方が傾斜しており、挟む構成となっているからである。（３２）は、引っ掛け様の挿入部である。これら三者の断面は、ほぼ逆の山字状になっている。（４）は、ゴミ袋（８）の紐（８０１）の為を係止するための係止体（４）である
【００２７】
図３に示すものは、他の実施例であって、中央の延出部（３４）が長く伸びており、下端で上端と相まってゴミ袋収納箱（１０）を支えるものである。
この下端は、図３に示すように断面U字状であって、ゴミ袋収納箱（１０）を支えるものであり、この場合には、更にしっかりした支持が可能である。
上方は、延出部（３１０）が、ゴミ袋収納箱（１０）を支えるが、同様傾斜して弾性を有するようにして形成することもよい（点線位置で広がって止める）。係止部となる上方の係止体（４）は、ゴミ袋（８）の紐を掛けるためのものである。
ゴミ袋収納箱（１０）は、図３に示すように、横方向から挿入されて、固定される。
その挿着は簡単で容易に行なわれるのが理解されるであろう。
【００２８】
図４に示すものは、他の実施例であって、延出部（３１０）、（３２０）の形状を曲線状として、例えば、図５に示すように自動車の席に裏側の物入れ（９０）等にしっかりと引っ掛かるものとしたものであり、喰いこんで離れ難くなる。該曲線は、物入れに（９０）側に入り込む形で曲がっているので
、一層引っ掛かるのである。
又、ゴミ袋収納箱（１０）との結合も突起（５０）（５０）を中間の延出部（３４）へ設けられており、該延出部（３４）と（３２）へ挿入され取り付けられるゴミ袋収納箱（１０）へ対応して設けられる孔（５０１）（５０１）へ嵌入されて固定される。嵌入の場合には、弾力のある延出部（３１０）を広げて入り易くして嵌め込めばよい。
この場合、ゴミ袋収納箱（１０）の頂部には矢張り孔（５０１）（５０１）を設けるための延長した取り付け部（５１０）が設けられる。
又、突起（５０）（５０）をその裏側である反対側の延出部（３４）に設けておき、そこへゴミ袋収納箱（１０）の頂部の孔（５０１）（５０１）を嵌めてもよい。この場合、取り付けははめればよいので、より簡単である。
なお前側の延出部（３１０）には、ゴミ袋収納箱（１０）の紐を引っ掛ける為の断面U字状の係止体（４）の溝部が続いている。
【００２９】
上記実施例では、ゴミ袋収納箱（１０）によって説明したが、ティッシュ収納箱でも当然使用できるものであり、箱体状であれば可であり、それらを使用しても実効を挙げられる。
特に、自動車において使用する場合には、各々の座席の背後にゴミ袋収納箱（１０）とティッシュ収納箱を掛けておけば、使用上一層便利であるのが理解されるであろう。
【００３０】
この箱状体収納具（１）の使用状況は、図５の（１）に示すように、車内の椅子（９）の背後に通常設けられる網状の物入れ（９０）（その他ポケット状の物もあるが可である）に、挿入部（３２）を挿着されることになる。
又、ゴミ袋（８）の紐は、その他自動車等の色々の箇所にも引っ掛けて使用できるのは当然である。
【００３１】
又この外、自動車に限定されること無く、種々のものに使用することが当業者によっ
て可能である。即ち、図５の（２）に示すように、紐状体（４０１）のものにひっかけるか、
又は壁に対して、その両端から延出する紐（４０）をかけて、ピン止めされるものとす
ることで取り付けはする事ができる。
【００３２】
図５の（３）に示す状況は、単に机などに載置しておくと、挿入部（３２）がある為に、その分高く傾斜して置かれる為に取り出し易くなっている構造ではあるのが分かる。従って、机の上に載置しておいて使用することも便利であり可能である。
【００３３】
材料は、様々なものが考えられる。例えば、プラスチック材などの好ましくは弾性を有する合成樹脂材が選択できるが、勿論、弾性部材からなる部材としては、プラスチックの外、種々の材料が当業者によって採用できるのは勿論である。例えば、薄板状の鉄材や硬質な紙材でも構成することができる。紙材の場合は、組立て式として構成すれば、平面状となるので、折たみができ運搬に利便となる
【００３４】
以上述べたように、本発明の技術思想は、上記の実施例等に必ずも限定されることはなく、当業者によって本発明の技術思想の範囲内で、応用又は適用された種々の実施例が考えられ適用できるのは当然である。
【図面の簡単な説明】
【００３５】
【図１】本発明の実施例の一つであるゴミ袋収納箱を備えた箱状体収納具の全体の状況を示す。
【図２】本発明の他の実施例の一つである箱状体収納具を示す。
【図３】本発明の他の実施例の一つである箱状体収納具を示す。
【図４】本発明の他の実施例の一つである箱状体収納具を示す。
【図５】本発明の実施例の一つである箱状体収納具を車内等に取り付ける状況を示す。
【符号の説明】
【００３６】
１          ミ袋収納具
３          固着具
３０        連結部
３１        箱体支持部
３２        挿入部
３２０      延出部
３３        延出部
３４        延出部
４          延出体
４０１      紐状体
８          ゴミ袋
８０１      紐
９          椅子
９０        物入れ
１０        ゴミ袋収納箱
１０１      取り出し口
【図１】
2009045962.tif 000003
【図２】
2009045962.tif 000004
【図３】
2009045962.tif 000005
【図４】
2009045962.tif 000006
【図５】
2009045962.tif 000007